(57)【要約】      （修正有）【課題】シャッタ遅れ時間を短くする。【解決手段】カメラのオートフォーカスシステムに用いるための、複数の開口を有するフィルタは、光を遮断する１つの不透明部分と、その中を光が通過する複数の開口とを有する。他の例では、複数の開口のそれぞれが、異なる色に対応するカラーフィルタを含んでいる。もう１つの例では、その中を光が通過する非対称の形状の開口が設けられている、光を遮断する不透明部分を有する。フィルタリングされた光に基づくデフォーカス判定が行われ、かつ、光学システムとイメージセンシングデバイスとの間の距離についての調整が、判定されたデフォーカスに基づいて決定される。【選択図】図１
2006146194.tif 000002
【特許請求の範囲】
【請求項１】
光検出素子を含み、前記光検出素子からコンピュータ読取り可能データを与えるためのイメージセンシングデバイスと、
前記イメージセンシングデバイスと光学的に位置合わせされ、前記イメージセンシングデバイスから像距離だけ離隔する光学システムと、
前記光学システムと前記イメージセンシングデバイスとの間に光学的に位置合わせされ、前記イメージセンシングデバイス上の同じ像の複数の像を形成するための、複数の開口を含むフィルタと、
前記イメージセンシングデバイスに通信可能に接続され、前記光検出素子からの前記コンピュータ読取り可能データに基づいて像のデフォーカスを判定し、像距離調整値を決定するためのデフォーカス判定モジュールと、
前記像距離調整値に基づいて前記光学システムと前記イメージセンシングデバイスとの間の前記像距離を調整するための調整モジュールと、
を備えることを特徴とするオートフォーカスシステム。
【請求項２】
前記デフォーカス判定モジュールは、前記像のデフォーカスを判定するために、前記コンピュータ読取り可能データにおいてデコンボリューションを実行することを特徴とする請求項１に記載のオートフォーカスシステム。
【請求項３】
前記デフォーカス判定モジュールは、前記像の前記デフォーカスを判定するために、前記コンピュータ読取り可能データにおいて自己相関を実行することを特徴とする請求項１に記載のオートフォーカスシステム。
【請求項４】
前記複数の開口は、それぞれ、前記イメージセンシングデバイス上に異なる色の像を形成するために、異なる色のカラーフィルタを備えることを特徴とする請求項１に記載のオートフォーカスシステム。
【請求項５】
前記デフォーカス判定モジュールは、異なる色毎に形成される像のための前記コンピュータ読取り可能データにおいて相互相関を実行することを特徴とする請求項４に記載のオートフォーカスシステム。
【請求項６】
それぞれ異なるカラーフィルタは、前記イメージセンシングデバイス上の色検出素子の色感度に一致することを特徴とする請求項４に記載のオートフォーカスシステム。
【請求項７】
前記フィルタは、前記カラーフィルタの外側にあるエリアにおいて透明であることを特徴とする請求項４に記載のオートフォーカスシステム。
【請求項８】
前記フィルタは、オートフォーカスが完了した後の像捕捉中に前記光学システム及び前記イメージセンシングデバイスと位置合わせされたままであることを特徴とする請求項４に記載のオートフォーカスシステム。
【請求項９】
オートフォーカスのための方法であって、
イメージセンシングデバイス上で同じ像の複数の像表現を生成するステップと、
前記複数の表現のためのデータに基づいて前記像のデフォーカスを判定するステップと、
前記イメージセンシングデバイスと光学的に位置合わせされる光学システムと前記イメージセンシングデバイスとの間の像距離に対する調整量を決定するステップと、
前記決定された調整量に基づいて前記像距離を調整するステップと、
を含むことを特徴とするオートフォーカスのための方法。
【請求項１０】
前記複数の像表現は、異なる色の同じ像にカラーフィルタをかけた表現に対応し、前記像のためのデフォーカスを判定するステップは、異なるカラーフィルタをかけられた表現の各組間の相互相関を実行するステップをさらに含むことを特徴とする請求項９に記載の方法。
【発明の詳細な説明】
【技術分野】
【０００１】
本発明は、包括的には、カメラのためのオートフォーカスシステムに関し、さらに詳しくは、複数の開口を有するフィルタを用いるオートフォーカスシステムする。
【背景技術】
【０００２】
シャッタ遅れ時間は、写真を撮影するためにユーザがシャッタボタンを押す時刻と、像が実際に捕捉される時刻との間の時間であり、それはカメラユーザを満足させるために最も重要な性能仕様のうちの１つである。
【発明の開示】
【発明が解決しようとする課題】
【０００３】
シャッタ遅れ時間の最も大きな要因になるのは、レンズとイメージセンシングデバイスとの間の距離を調整し、対象となるイメージエリアにおいて、より鮮明な焦点整合を達成するためのオートフォーカスである。許容可能な焦点を得るために、同じ像の複数のショットとコンボリューション技法とに基づいて、何度も繰返し調整することが必要な場合もあり、それゆえシャッタ遅れ時間が長くなる一因になる。シャッタ遅れ時間を大幅に削減するように、１つの捕捉された像、及びさらに簡単な計算に基づいてデフォーカスの度合いを判定することができるオートフォーカス技法が極めて望ましい。
【課題を解決するための手段】
【０００４】
［発明の概要］
本発明はオートフォーカスシステムにおいて用いるための複数開口フィルタ（multiple aperture filter）の１つ又は複数の実施形態を提供する。一実施形態では、そのフィルタは、光を遮断する不透明部分と、その中を光が通過する透明な複数の開口とを備える。別の実施形態では、そのフィルタは複数の開口を備え、複数の開口はそれぞれ、イメージセンシングデバイス上に対応するカラーイメージを形成するための異なるカラーフィルタを含む。本発明の別の実施形態では、そのフィルタは、光を遮断する不透明部分と、その中を光が通過する非対称な形状の開口とを備える。
【０００５】
本発明の一実施形態によるオートフォーカスシステムは，光学システムとイメージセンシングデバイスとの間に光学的に位置合わせされ、イメージセンシングデバイス上に同じ像の複数の像表現を形成するための、複数の開口を含むフィルタと、イメージセンシングデバイスに通信可能に接続され、イメージセンシングデバイス上の複数の像表現に基づいて像のデフォーカスを判定するためのデフォーカス判定モジュールと、判定されたデフォーカスに基づいて、光学システムとイメージセンシングデバイスとの間の距離を調整するための調整モジュールとを備える。
【０００６】
本発明の一実施形態による像のデフォーカスを判定するための方法は、イメージセンシングデバイス上に同じ像の複数の像表現を生成するステップと、イメージセンシングデバイス上の複数の像表現に基づいて像のデフォーカスを判定するステップと、判定されたデフォーカスに基づいて光学システムとイメージセンシングデバイスとの間の距離を調整するステップとを含む。
【０００７】
この概要において述べられる特徴及び利点、並びに、以下に記載される詳細な説明は、包括的ではなく、特に、図面、明細書及び特許請求の範囲に鑑みて、当業者にはさらに多くの特徴及び利点が明らかになるであろう。さらに、本明細書において用いられる用語は主に、読みやすさ及び教示のために選択されており、場合によっては発明内容を正確に説明したり、又は発明内容の範囲を明確にしたりするために選択されていない場合もあるので、そのような発明内容を定めるには特許請求の範囲を頼る必要があることに留意すべきである。
【０００８】
それらの図は、例示する目的のためだけに、本発明の実施形態を示している。本明細書に記載される本発明の原理から逸脱することなく、本明細書に例示される構造及び方法の他の実施形態が用いられる場合もあることは、以下に記載される説明から当業者には容易に理解されよう。
【発明を実施するための最良の形態】
【０００９】
図１は、本発明の一実施形態による、複数開口フィルタを用いるオートフォーカスシステム１２を含むカメラ１０の機能ブロック図である。カメラ１０には、静止画カメラ，動画カメラ（例えばビデオカメラ），又はその２つの組み合わせを用いることができ、そのカメラは、通信バス３８を介して、ユーザインターフェースモジュール２４，記憶モジュール２２，及び通信インターフェースモジュール３２に通信可能に接続されるオートフォーカスシステム１２を備える。オートフォーカスシステム１２は、通信バス３８を介して、調整モジュール３４及び撮像システム２６に通信可能に接続されるデフォーカス判定モジュール２０を備える。撮像システム２６は、イメージセンシングデバイス３０と光学的に結合されかつ位置合わせされる、複数開口フィルタ５４を含む光学システム２８を含む。オートフォーカス中に、光学システム２８によって受光された光は複数開口フィルタ５４によってフィルタリングされて、結果として、イメージセンシングデバイス３０上に同じ像の複数の像表現（image representation）が生成される。複数開口フィルタ５４は、イメージセンシングデバイス３０上に光の分布をもたらし、その分布は、デフォーカスに応じて変化する。イメージセンシングデバイス３０は、この光の分布の検出し、それを、デフォーカスを判定する際にデフォーカス判定モジュール２０によって用いることができるコンピュータ読取り可能データとして表す。一例では、イメージセンシングデバイス３０は、受光された光の強度を表す光子をコンピュータ読取り可能データに変換する光検出素子から成る電荷結合デバイス（ＣＣＤ）アレイとして具現することができる。
【００１０】
デフォーカス判定モジュール２０は、光学システム２８とイメージセンシングデバイス３０との間の距離（記述を簡単にするために、これ以降、「像距離」とも呼ばれる）の調整値を判定し、像距離に対する調整値を調整モジュール３４に伝達する。調整モジュール３４は、判定モジュール２０からの距離調整値に基づいて１つ又は複数の素子を動かすための撮像システム２６内にある１つ又は複数の素子に機械的に接続される。一例では、調整モジュール３４は、ステッパモータユニットの制御下で撮像システムの素子を動かすことができる機械式アクチュエータとして具現される。
【００１１】
撮影されるシーン内にある物体は、光学システムへの異なる被写体距離を有するので、遠くにある物体のための焦点は、近くにある物体のための焦点と同じ平面にはない。通常、イメージセンシングデバイス３０は、複数のブロックに分割され、デフォーカス判定は、ブロック毎に行われる。デフォーカス判定モジュール２０は、異なるブロック毎に判定されたデフォーカスを用いて、そのシーンの像のための深度マップを作成することができる。デフォーカス判定モジュール２０は、選択されたブロックのための距離調整値を判定する。そのブロックは判定基準に基づいて選択される。判定基準の一例は、デフォルトとして、ＬＣＤビューファインダディスプレイ３６の中央にある焦点エリア内の被写体からの光を受光するブロックを用いることである。オートフォーカスモードでは、ユーザインターフェース２４は、オートフォーカスの基準として別の焦点エリアを指示するためにユーザが選択することができる、オートフォーカスエリアのための指示子を表示することができる。
【００１２】
デフォーカス判定モジュール２０は、ブロック毎の判定されたデフォーカス及び調整値を記憶モジュール２２に記憶する。記憶モジュール２２は、データを記憶し、そのデータはソフトウエア命令、並びに、計算のためのデータ及びイメージデータを含むことができる。
【００１３】
ユーザインターフェースモジュール２４は、ユーザからの入力、例えばカメラ上のボタンを押すことによって指示される入力を処理し、この例ではシーンを表示するためのビューファインダとしての役割も果たす液晶ディスプレイ（ＬＣＤ）であるディスプレイ３６上に、ユーザに対する情報を表示することもできる。さらに、通信インターフェース３２は、カメラが画像のようなデータを通信することができる、外部デバイスのためのインターフェースを提供する。
【００１４】
図１に示される各モジュール及びその一部は、プロセッサにおいて実行し、かつ、コンピュータ利用可能媒体に記憶するのに適したソフトウエア，若しくはハードウエア，若しくはファームウエア，又はこれらの任意の組み合わせで実装することができる。コンピュータ利用可能媒体は、プログラム，データ，又は他のデジタル情報を記憶することができる任意の構成を含む。コンピュータ利用可能媒体の例には、種々の形態において取り付けることができる、ランダムアクセスメモリ及びリードオンリーメモリのような種々のメモリの実施形態が含まれ、それらのメモリのいくつかの例には、ハードディスク，ディスク，フラッシュメモリ，又はメモリスティックがある。
【００１５】
図２は、本発明の１つ又は複数の実施形態において用いることができる、
複数開口フィルタ５４を備えた光学システム２８と、オートフォーカスシステムにおいて用いるためのイメージセンシングデバイス３０とを有する、本発明の１つ又は複数の実施形態において用いることができる撮像システム２６のブロック図である。この光学システム２８は、イメージセンシングデバイス３０に光を誘導するために、光学軸４０を中心にして配置される三重レンズシステムとして配列される。三重レンズシステムは、光学軸４０に対して位置合わせされた両凸前方レンズ４２，両凹中央レンズ４３，及び両凸後方レンズ４４を含む。複数開口フィルタ５４の一実施形態が、光学軸４０と位置合わせされて配置される開口絞り４８に配置される。
【００１６】
この実施形態では、イメージセンシングデバイス３０は、電荷結合デバイス（ＣＣＤ）として具現され、その電荷結合デバイスは、フィルタ５２に光学的に結合され、赤，緑，青（ＲＧＢ）モザイクパターンを与えるように構成される光検出素子５０のアレイを含み、デジタル表現の個々のピクセルに対応する個々の光検出素子は、フィルタによって規定される赤色，緑色，又は青色に対して特に感度が高い。イメージセンシングデバイス３０の別の実施形態では、ＣＣＤアレイの光検出素子は、それぞれ、個々の色に対応するので（例えば、Foveon社の技術を用いて作製されるＣＣＤ）、フィルタ５２は不要である。
【００１７】
図３Ａは、本発明の一実施形態による、光を遮断する不透明部分３２４と、その中を光が通過する複数の透明な開口３２０，３２２とを備える複数開口フィルタ１５４を示す。この例では、そのシーンが焦点から外れる場合には、イメージセンシングデバイス３０上に２つの重なり合う像が形成されるであろう。結果として生成される二重の像は、単一の完全に焦点が合った像を、開口フィルタ１５４と同じ形状を有し、デフォーカスの量に比例する量だけ拡大縮小されているぼけカーネルでコンボルブする結果と概ね同じである。ぼけカーネルを推定することができる場合には、デフォーカスの度合い及び大きさを概ね判定することができる。未知のぼけカーネルを見つけるための１つのよく知られている方法は「ブラインド・デコンボリューション」である。ぼけカーネルが見つけられた後に、開口フィルタ１５４とサイズを比較される。フィルタ１５４のサイズに対するぼけカーネルのサイズの比は、イメージセンシングデバイス３０とフィルタ１５４との間の距離に対する焦点面からイメージセンシングデバイス３０までの距離に比例するであろう。
【００１８】
フィルタ１５４が２つの小さな開口１５４から成る場合には、ぼけカーネルは、デフォーカスの度合いに比例する距離だけ離隔した２つの点と概ね同じになるであろう。この場合、自己相関を用いて、２点間の距離を判定することができる。像が２つの開口の軸に沿って自己相関されるとき、自己相関関数は３つの鋭いピークを有するであろう。第１のピークと中央のピークとの間の距離は、そのカーネルの２点間の距離に等しくなり、この距離はデフォーカスの度合いに比例するであろう。
【００１９】
図３Ｂは、本発明のさらに別の実施形態による、光を遮断する不透明部分３３６と、その中を光が通過する非対称の形状の開口３３２，３３４とを備える複数開口フィルタ２５４を示す。図３Ａの実施形態において示されるような同一の透明な開口部は、デフォーカスの方向、例えば像が焦点の内側にあるか、外側にあるかに関する情報を提供しない。この曖昧さを解決するための１つの方法は、非対称の形状の開口を用いて、デコンボリューション又は自己相関の何れかに基づくデフォーカス判定がデフォーカスの量及び方向の両方を与えることができるようにすることである。デコンボリューション及び自己相関は、何れも、オートフォーカス時間、それゆえシャッタ遅れ時間を長くするコンボリューションに関連する複雑な数学的計算を必要とする。
【００２０】
図３Ｃは、本発明の別の実施形態による、光を遮断する不透明部分３０７と、それぞれが異なるカラーフィルタを含む開口３０２，３０４とを備える複数開口フィルタ３５４を示す。赤色開口３０２及び青色開口３０４のような有色の開口を用いることにより、複雑なコンボリューションに基づく技法の代わりに、はるかに簡単な相互相関技法を用いることができる。異なる色に対して感度が高い光検出素子とともに、異なるカラーフィルタを用いることにより、２つの像の境界がより容易に検出される。それらの境界の検出から、２つの像間で対応するブロックを判定することができるので、選択されたブロック内の対象物、又はそのシーンのブロック状の深度マップのための、量及び方向を含むデフォーカスを判定することができる。
【００２１】
図３Ｄは、本発明のさらに別の実施形態による、光を遮断する不透明部分３０１と、カラーフィルタ開口３０５，３０９とを備える、別の形態の複数開口フィルタ４５４を示す。赤色開口３０５はフィルタ４５４の上側を形成し、青色開口３０９はフィルタの下側を形成し、その両側は中央の不透明部分３０１によって分離される。
【００２２】
相互相関を例示する一例として、前景にいる人物が、その人の５０フィート後方にある高い木を背景にして写真を撮られているシーンについて考える。その人物の頭の先端のための焦点がイメージセンシングデバイス３０の平面の後方にあり、高い木の先端のための焦点がイメージセンシングデバイス３０の平面の前方にくる。この例では、オートフォーカスシステムはＲＧＢモザイクを有するＣＣＤアレイ３０を含み、複数開口フィルタ３５４又は４５４が、その像からの光を受光するように位置合わせされる。木の先端を含む赤色像ブロック及び青色像ブロックからの色検出強度データを比較して、デフォーカス判定モジュール２０は、赤色像ブロック内の木の先端が、青色像ブロック内の木の先端の右の方に約２ピクセル幅に相当する長さだけ広がることを検出する。同様に、デフォーカス判定モジュール２０は、赤色像ブロック内の人物の頭の先端が、青色像ブロック内の頭の先端の左の方に約１ピクセル幅に相当する長さだけ広がることを検出する。２つの像の水平方向及び垂直方向の両方の分離を検出することができる。こうして、ＣＣＤデバイス３０の色検出素子によって測定される対照的な色強度によって、コンボリューションを基にする技法を用いる場合よりも、デフォーカスの方向及び量を判定するのが容易になる。
【００２３】
図３Ｃ及び図３Ｄに示される実施形態のようなフィルタを用いることにより、デフォーカス判定モジュール２０によって、二重になった像のためのデータを処理して、個々のピクセル値によって表されるような焦点調整不良のイメージエリアをシフトして、より鮮明な焦点を得るためのより良好な焦点整合状態にすることができる。
【００２４】
図３Ｅは、本発明のさらに別の実施形態による、光を遮断する不透明部分３５４と、３つのカラーフィルタ開口、すなわち赤色開口３５３、青色開口３５２及び緑色開口３５１とを備える、別の形態の複数開口フィルタ３５５を示す。この実施形態では、イメージセンシングデバイス３０上に３つの像が形成され、フィルタの組（例えば、赤色及び緑色、青色及び緑色、並びに赤色及び青色）毎に１回ずつの３回の相互相関が実行され、それにより、デフォーカス判定において、より包括的なデータ及びより高い精度が与えられる。
【００２５】
考慮すべき事柄に基づいて、カラー開口を有するフィルタ（例えば３５４、４５４、３５５）毎に開口サイズを変更することができる。例えば、開口を大きくする結果として光が増えるので、複数開口フィルタをオートフォーカスモードから取り出す必要がなくなり、モータ摩耗が減少し、電池寿命が節約されるようになるであろう。しかしながら、特に緑色フィルタと青色フィルタとの間で重なりが生じる可能性があり、それによりカラーコントラストが減少し、デフォーカス判定がより難しくなる。
【００２６】
図３Ｆは、本発明のさらに別の実施形態による、その中を可視光が通過する部分３１５と、３つのカラーフィルタ開口、すなわち赤色光をフィルタリングするための開口３１６と、緑色光をフィルタリングするための開口３１２と、青色光をフィルタリングするための開口３１４とを含むリング部分３１０とを備えるフィルタ５５４を示す。この例では、開口は、１２０°の同じサイズの弧から成り、リングを構成する。３つのカラーマスクフィルタ５５４を用いることにより、写真のカラーバランスが影響を及ぼされないようにすることができる。リングレイアウト３１０は、主に、フィルタ５５４で検出されるオートフォーカス信号に最も寄与する周辺光線に焦点を合わせる。像のための光は、透明な内側部分３１５及び透明な外側部分３１７において遮断されることなく受光される。３つのカラーリングフィルタ５５４は、フォーカス信号が、撮影されるシーンに含まれる色の量に潜在的に影響を受けにくいという利点も提供する。リングの直径を、最大レンズ開口３１８内で最適化して、フォーカス信号を最大にし、全光損失を最小限に抑えることができる。さらに、レンズ収差を導入しないように、必要に応じて、種々のエリアの厚みを変更することができる。また球面収差はレンズの不変の特性であるので、デジタル信号処理において補正することができる。
【００２７】
図４は、図３Ｄのフィルタ４５４によって生成されるフィルタリングされた光の幾何学的な表現を示しており、その表現を用いて、本発明の一実施形態によるデフォーカス判定のための相互相関アルゴリズムを実施することができる。相互相関のために用いられる幾何学的表現は三角形である。その考察は、説明を容易にするために、光線の点から見ている。光線６２が赤色フィルタ開口３０２を通過し、その結果として、対応する赤色光線が像平面においてイメージセンシングデバイス３０を横切る。光線６４が青色フィルタ開口３０４を通過し、その結果として、対応する青色光線が像平面においてイメージセンシングデバイス３０を横切る。光線６２がフィルタ４５４を横切る交点と光線６４がフィルタ４５４を横切る交点との間の距離Ｕはわかっている。色検出素子の測定値から、イメージデバイス３０は、赤色光線及び青色光線の交点を検出する。イメージデバイス３０の色検出素子間のピクセル幅がわかっているので、赤色光線の交点と青色光線の交点との間の距離Ｖを判定することができる。また、光線６２がフィルタ４５４を横切る交点及び光線６４がフィルタ４５４を横切る交点、並びに赤色光線がイメージセンシングデバイス３０を横切る交点及び青色光線がイメージセンシングデバイス３０を横切る交点から、所望の焦点６０の場所が決定される。文字ｂはフィルタ４５４から焦点６０までの距離を表す。相似三角形が形成され、その三角形から、光学システム２８からイメージセンシングデバイス３０までの距離の調整値（ｂ−ａ）を決定することができる。この場合には直角三角形である第１の相似三角形が、Ｕ／２、ｂ及び赤色光線によって表される辺から形成される。同じく直角三角形である第２の相似三角形が、この場合、Ｖ／２、（ｂ−ａ）及び斜辺として赤色光線から成る辺によって形成される。それらの相似三角形は同じ角度を共有する。第２の相似三角形は第１の相似三角形に比例する三角形である。従って、Ｖ／２がＵ／２に比例するので、（ｂ−ａ）はｂに比例する。従って、（ｂ−ａ）は（（Ｖ／２）／（Ｕ／２））ｂに等しい。
【００２８】
図５は、本発明の一実施形態による、複数の開口を含むフィルタを用いるイメージキャプチャデバイスのオートフォーカスのための方法を示す。単なる例示であって、限定はしないが、図５の方法の実施形態５００は、図１のシステムの実施形態１００との関連で説明される。デフォーカス判定モジュール２０は、ステップ５０２において、カウンタ変数をイメージエリアのブロックの数に設定し、ステップ５０４において、ブロック（カウンタ）によって表される過程である、現在のブロックにおける相互相関アルゴリズムを実行して、そのブロックのためのデフォーカスの度合いを求め、ステップ５０６において、ブロック（カウンタ）のためのデフォーカスの度合いを記憶モジュール２２に記憶する。その後、デフォーカス判定モジュールは、ステップ５０８において、カウンタを１だけデクリメントし、ステップ５１０において、ブロックの数が処理されたか否かを判定する。いくつかのブロックがまだ処理されていないことに応答して、デフォーカス判定モジュール２０は、ステップ５０４において、次のブロックのための相互相関アルゴリズム、ブロック（カウンタ）を実行し、そのデフォーカスの度合いを判定し、ステップ５０６において記憶モジュール２２にも記憶される。再び、ステップ５０８において、カウンタがデクリメントされ、ステップ５１０において、デフォーカスモジュール２０は、別のブロックが処理されるべきであるか否かを判定する。ステップ５１０において、処理すべきブロックがそれ以上存在しないものと判定するのに応答して、デフォーカスモジュール２０は、５１２において、デフォーカスがあるブロックを選択して、ステップ５１４において、デフォーカスの度合いに基づいて、光学システム２８とイメージセンシングデバイス３０との間の距離、すなわち像距離に対する調整値を判定する。デフォーカスモジュール２０は、ユーザ入力に応答する調整値に基づいて、又は他の考慮すべき事柄に基づいて、別のブロックを選択してもよい。他の考慮すべき事柄の一例は、別のブロックのデフォーカスがパラメータの範囲外まで劣化することであろう。デフォーカスモジュール２０は、判定された調整値を調整モジュール３４に伝達し、調整モジュール３４は、ステップ５１６において、判定された調整値に基づいて、光学システム２８とイメージセンシングデバイス３０との間の距離を調整する。
【００２９】
本発明の実施形態に関する上記の説明は、例示及び説明のために提供されてきた。それは、本発明を余すところなく述べることや、開示された形態そのものに限定することを意図していない。上記の教示に鑑みて、数多くの変更形態及び変形形態が可能である。本発明の範囲はこの詳細な説明によって限定されるのではなく、むしろ添付の特許請求の範囲によって限定されることが意図されている。当該技術分野の熟練者であれば、本発明の精神及び不可欠な特徴から逸脱することなく、本発明が他の具体的な形態において具現されてもよいことは理解されよう。
【図面の簡単な説明】
【００３０】
【図１】本発明の一実施形態による複数開口フィルタを用いるオートフォーカスシステムを含むカメラの機能ブロック図である。
【図２】本発明の１つ又は複数の実施形態において用いることができる、イメージセンシングデバイス上に同じ像の複数の像表現を形成するための複数開口フィルタを含む、オートフォーカスシステムにおいて用いるための撮像システムのブロック図である。
【図３Ａ】本発明の一実施形態による、光を遮断する不透明部分と、その中を光が通過する複数の透明な開口とを備える複数開口フィルタを示す図である。
【図３Ｂ】本発明のさらに別の実施形態による、光を遮断する不透明部分と、その中を光が通過する非対称な形状の開口とを備える複数開口フィルタを示す図である。
【図３Ｃ】本発明の別の実施形態による、光を遮断する不透明部分と、それぞれが異なるカラーフィルタを含む複数の開口とを備える複数開口フィルタを示す図である。
【図３Ｄ】本発明のさらに別の実施形態による、光を遮断する不透明部分と、複数のカラーフィルタ開口とを備える、別の形態の複数開口フィルタを示す図である。
【図３Ｅ】本発明のさらに別の実施形態による、光を遮断する不透明部分と、複数のカラーフィルタ開口とを備える、別の形態の複数開口フィルタを示す図である。
【図３Ｆ】本発明のさらに別の実施形態による、フィルタの中を可視光が通過する部分と、３つのカラーフィルタ開口を含むリング部分とを備えるフィルタを示す図である。
【図４】本発明の一実施形態による、それを基にしてデフォーカス判定のための相互相関アルゴリズムを実施することができる、図３Ｄのフィルタによって生成されるフィルタリングされた光の幾何学的表現を示す図である。
【図５】本発明の別の実施形態による、或る像のためのデフォーカスを判定するための方法を示す図である。
【図１】
2006146194.tif 000003
【図２】
2006146194.tif 000004
【図３Ａ】
2006146194.tif 000005
【図３Ｂ】
2006146194.tif 000006
【図３Ｃ】
2006146194.tif 000007
【図３Ｄ】
2006146194.tif 000008
【図３Ｅ】
2006146194.tif 000009
【図３Ｆ】
2006146194.tif 000010
【図４】
2006146194.tif 000011
【図５】
2006146194.tif 000012
【外国語明細書】
2006146194.tif 000013
2006146194.tif 000014
2006146194.tif 000015
2006146194.tif 000016
2006146194.tif 000017
2006146194.tif 000018
2006146194.tif 000019
2006146194.tif 000020
2006146194.tif 000021
2006146194.tif 000022
2006146194.tif 000023
2006146194.tif 000024
2006146194.tif 000025
2006146194.tif 000026
2006146194.tif 000027
2006146194.tif 000028
2006146194.tif 000029
2006146194.tif 000030
2006146194.tif 000031
2006146194.tif 000032
2006146194.tif 000033
2006146194.tif 000034
2006146194.tif 000035
2006146194.tif 000036